(57)【要約】  エレベータ用巻上機（１）は、回転軸（６）を有しハウジング（３ａ）により覆われた電動機（３）と、電動機（３）から発生する熱により暖められたハウジング（３ａ）の中の空気をハウジング（３ａ）の外へ排出するように設けられた冷却用の送風機（１１）と、回転軸（６）に固定されてハウジング（３ａ）の隣に配置されるとともにかごを吊り下げるロープ（１０）が巻き掛けられた綱車（５）と、綱車（５）の外周側へ突出するようにハウジング（３ａ）に設けられてロープ（１０）が綱車（５）から外れることを防止するとともに、ハウジング（３ａ）の中まで突き抜けている孔（１２ｂ）が綱車（５）の外周側に開口された開口部（１２ａ）を有するロープ外れ止め（１２）と、孔（１２ｂ）を通る空気をろ過するフィルター（１３）と、を備えたものである。
2016092592.tif 000002
【特許請求の範囲】
【請求項１】
回転軸を有しハウジングにより覆われた電動機と、前記電動機から発生する熱により暖められた前記ハウジングの中の空気を前記ハウジングの外へ排出するように設けられた冷却用の送風機と、前記回転軸に固定されて前記ハウジングの隣に配置されるとともにかごを吊り下げるロープが巻き掛けられた綱車と、前記綱車の外周側へ突出するように前記ハウジングに設けられて前記ロープが前記綱車から外れることを防止するとともに、前記ハウジングの中まで突き抜けている孔が前記綱車の外周側に開口された開口部を有するロープ外れ止めと、前記孔を通る空気をろ過するフィルターと、を備えたことを特徴とするエレベータ用巻上機。
【請求項２】
前記綱車に対して前記ハウジングとは反対側の位置に前記綱車と一体に回転可能に設けられるとともに、制動機により制動可能に設けられた円板状のブレーキディスクを備え、前記ブレーキディスク側となる前記ロープ外れ止めの先端側に前記開口部が設けられていることを特徴とする請求項１に記載のエレベータ用巻上機。
【請求項３】
前記ロープ外れ止めの前記先端側は、前記ブレーキディスクと同心の円環状に形成されていることを特徴とする請求項２に記載のエレベータ用巻上機。
【請求項４】
前記ロープが前記綱車から離れる位置の前記外周側へ突出するように前記ロープ外れ止めが設けられていることを特徴とする請求項１から３のいずれかに記載のエレベータ用巻上機。
【発明の詳細な説明】
【技術分野】
【０００１】本発明は、エレベータ用巻上機に関するものである。
【背景技術】
【０００２】エレベータでは、巻上機に設けた綱車の綱溝にロープを巻き掛け、このロープにかごを吊り下げている。巻上機に設けた電動機で綱車を回転させてかごを昇降する。ロープが綱車のところを通る際にはロープに付けている油が飛散し周囲の機器や建物などに付着することがある。これを防止するために綱車及び綱車の近くのロープをカバーで覆っている。また、霧状になった油が空気中を漂ってカバーの外に流れ出さないように空気をろ過している。具体的には、カバーの中の空気をフィルターを通して排気装置で排気し、霧状の油を収集している。また、綱車の周囲にはロープ外れ止めを設け、地震発生時等に綱溝からロープが外れることを防止している。また、巻上機には送風機を設けて巻上機の中の空気を外へ排出し、電動機などを冷却している。（特許文献１、２、３参照）
【先行技術文献】
【特許文献】
【０００３】
【特許文献１】特開２００４−２０３５２３号公報
【特許文献２】特開２０１１−２０１６２６号公報
【特許文献３】特開平４−３３５３９号公報
【発明の概要】
【発明が解決しようとする課題】
【０００４】しかしながら、上記の巻上機では、綱車の周囲にはロープ外れ止めとカバーを設ける必要があり、また、巻上機冷却用の送風機と霧状の油を収集するための排気装置を設ける必要がある。このように多くの部品が必要であり、保守にも手間と時間が掛っている。【０００５】本発明は、かかる問題を解決するためになされたもので、部品数を抑えた簡易な構造のエレベータ用巻上機を得ることを目的とする。
【課題を解決するための手段】
【０００６】本発明に係るエレベータ用巻上機は、回転軸を有しハウジングにより覆われた電動機と、電動機から発生する熱により暖められたハウジングの中の空気をハウジングの外へ排出するように設けられた冷却用の送風機と、回転軸に固定されてハウジングの隣に配置されるとともにかごを吊り下げるロープが巻き掛けられた綱車と、綱車の外周側へ突出するようにハウジングに設けられてロープが綱車から外れることを防止するとともに、ハウジングの中まで突き抜けている孔が綱車の外周側に開口された開口部を有するロープ外れ止めと、孔を通る空気をろ過するフィルターと、を備えたことを特徴とするエレベータ用巻上機。【０００７】本発明によれば、電動機を稼働すると綱車が回転し、綱車を通る際にロープから油が飛散する。また、電動機を稼働すると冷却用の送風機はハウジングの中の空気をハウジングの外へ排出する。これにともない、綱車の外周側の油が飛散した空気は、綱車の外周側に開口された開口部から孔を通ってハウジングの中へ吸い込まれ、フィルターでろ過される。このように、冷却用の送風機とロープ外れ止めを用いて油が飛散した空気をろ過して油を収集するので、部品数を抑えた簡易な構造のエレベータ用巻上機を得ることができる。
【発明の効果】
【０００８】本発明によれば、部品数を抑えた簡易な構造のエレベータ用巻上機を得ることができる。
【図面の簡単な説明】
【０００９】
【図１】本発明の実施の形態１を示すエレベータ用巻上機の全体構成図である。
【図２】図１の矢視ＩＩ―ＩＩを示す図である。
【図３】本発明の実施の形態２を示すエレベータ用巻上機の全体構成図である。
【図４】図３の矢視ＩＩＩ―ＩＩＩを示す図である。
【発明を実施するための形態】
【００１０】実施の形態１．本発明の一実施の形態について図１、図２を参照して説明する。図１は本発明の実施の形態１を示すエレベータ用巻上機の全体構成図、図２は図１の矢視ＩＩ―ＩＩで、綱車の外周側に設けられたロープ外れ止めの断面を示す図である。
【００１１】図において、巻上機１は、ベッド２の上に電動機３と軸受台４とが互いに間隔を開けて設置され、これらの間に綱車５が配置されている。電動機３はハウジング３ａを有しており、ハウジング３ａはベッド２に固定されている。ハウジング３ａは電機子（図示せず）を覆っている。ハウジング３ａの隣に配置されている綱車５の方へ向かってハウジング３ａから回転軸６が突出して設けられている。綱車５は、軸方向の一方の側は回転軸６に固定されて電動機３により支持され、他方の側は軸受台４に支持されている。
【００１２】綱車５の軸受台４側の端部には円板状のブレーキディスク７が取り付けられ、綱車５と一体に回転する。軸受台４にはブレーキディスク７を制動する制動機８が取り付けられている。綱車５の外周部には周方向に伸びる綱溝５ａが設けられている。綱溝５ａは軸方向に複数設けられており、綱溝５ａにはそれぞれかご（図示せず）が繋がれたロープ１０が巻き掛けてある。電動機３に通電されて回転軸６が回転すると、綱車５とブレーキディスク７も回転し、かごが昇降される。制動機８によりブレーキディスク７が制動されると、綱車５の回転が停止され、かごの昇降も停止される。
【００１３】ハウジング３ａの外周部には送風機１１が設けられている。送風機１１はハウジング３ａの中の空気を吸い込み排気口１１ａからハウジング３ａの外へ空気を排出する。電動機３が稼働されるのにともない送風機１１も稼働されるように制御されている。ハウジング３ａの側部にはまっすぐなパイプ状のロープ外れ止め１２が設けられている。ロープ外れ止め１２は、ハウジング３ａの隣に設置されている綱車５の外周側へ向かって突出するように設けられている。つまり、ロープ外れ止め１２はハウジング３ａからブレーキディスク７の手前まで伸びるように設けられている。
【００１４】ロープ外れ止め１２は、２本設けられており、ロープ１０が綱溝５ａに嵌り込んだり、ロープ１０が綱溝５ａから離れたりする位置において、それぞれロープ１０と径方向に対向して設けられている。綱溝５ａに巻き掛けられたロープ１０は、綱溝５ａとロープ外れ止め１２に挟まれた状態になっている。綱溝５ａから外れようとするロープ１０はロープ外れ止め１２に当たり、綱溝５ａから外れることが防止される。
【００１５】図２に示すように、ロープ外れ止め１２には貫通する孔１２ｂが通されている。ロープ外れ止め１２のブレーキディスク７側の先端部には孔１２ｂが開口された開口部１２ａが設けられている。孔１２ｂはハウジング３ａ内の空間と連なるようにロープ外れ止め１２のハウジング３ａ側においても開口されている。つまり、孔１２ｂはブレーキディスク７の綱車５側の空間とハウジング３ａの中の空間を結ぶように設けられている。開口部１２ａには、空気をろ過するフィルター１３が設けられている。フィルター１３は、空気を通し、空気中に漂っている霧状の油を捕捉できるものであり、例えば、フェルト、不織布、多孔質部材などから成る。送風機１１によりハウジング３ａの中の空気がハウジング３ａの外に排出されるのにともない、ブレーキディスク７の綱車５側の空間の空気がフィルター１３でろ過されて開口部１２ａから吸い込まれ、この空気は孔１２ｂを通ってハウジング３ａの中へ流されハウジング３ａの外に排出される。
【００１６】このように構成された巻上機１では、電動機３を稼働すると送風機１１が稼働する。電動機３の稼働にともない綱溝５ａに巻き掛けたロープ１０が綱車５のところを通り、ロープ１０に付けていた油が飛散し、霧状の油が空気中に漂う。送風機１１の稼働にともないブレーキディスク７の綱車５側の空間の空気をフィルター１３を通してロープ外れ止め１２の開口部１２ａから吸い込む。飛散する油及び空気中に漂っている霧状の油はフィルター１３により捕捉する。開口部１２ａから吸い込んだ空気は孔１２ｂを通ってハウジング３ａの中へ流れ、電動機３などの稼働にともない発生した熱を受け取る。送風機１１は、熱を受け取った空気をハウジング３ａの外へ排出する。
【００１７】このように、ロープ外れ止め１２と電動機３を冷却する送風機１１を用いてロープ１０から飛散する油及び空気中を漂う油を収集するので、部品数を抑えた簡易な構造のエレベータ用巻上機１を得ることができる。
【００１８】また、綱車５を通るロープ１０とブレーキディスク７との間に、開口部１２ａを設けているのでロープ１０から飛散してブレーキディスク７の方へ向かう油を収集できる。
【００１９】また、電動機３が稼働しているときに油の収集が必要となるので、冷却用としての送風機１１の稼働又は停止するタイミングと、油の収集用としての送風機１１の稼働又は停止するタイミングはそれぞれ同じになる。このため、巻上機１冷却用の送風機１１を用いてロープ１０から飛散する油を収集するようにしたことにより、送風機１１の制御系統は１つあれば良いので、簡易な構造のエレベータ用巻上機を得ることができる。
【００２０】また、本実施の形態のように、ロープ外れ止め１２は、ロープ１０が綱溝５ａに嵌り込んだり、ロープ１０が綱溝５ａから離れたりする位置において、ロープ１０と径方向に対向して設けることにより、ロープ１０が外れることを防止できる。一方で、ロープ１０が綱溝５ａから離れる際には、ロープ１０と綱溝５ａとの間で油が糸状に引き伸ばされ、この糸状の油が切れることで霧状の油が発生する。つまり、ロープ外れ止め１２の設置が必要な場所と霧状の油が発生する場所は近い。このため、ロープ外れ止め１２を用いて霧状の油を収集するようにしたことは、霧状の油が発生する近くで霧状の油を収集するようにしたことになり、霧状の油が拡散する前に効率良く収集することができる。
【００２１】なお、本実施の形態では、それぞれが独立したパイプ状のロープ外れ止め１２を２本設けて油を収集する場合で説明したが、綱溝５ａに巻き掛けられたロープ１０と径方向に対向するようにロープ外れ止め１２を３本以上設けても良い。
【００２２】また、１本のロープ外れ止め１２の先端部に開口部１２ａを１つ設けた場合で説明したが、例えば１本のロープ外れ止めに複数の開口部を設けたり、ロープ外れ止めの中間部に開口部を設けるなど開口部の数や配置を変えても良い。さらに、例えばロープ外れ止めの長手方向に伸びる溝状の開口部にするなど、他の形状の開口部としても良い。
【００２３】実施の形態２．実施の形態１では、それぞれが独立したパイプ状のロープ外れ止め１２を２本設けた場合で説明したが、本実施の形態では、２本のロープ外れ止めの先端側が円環状に形成されて互いに連結された場合で説明する。なお、他の実施の形態と同一符号の構成品は、本実施の形態において同一部分を示し説明を省略する。
【００２４】図３は本発明の実施の形態２を示すエレベータ用巻上機の全体構成図、図４は図３の矢視  ＩＩＩ―ＩＩＩで、ブレーキディスク側から見たロープ外れ止めを示す図である。
【００２５】図において、ロープ外れ止め２２は、２本のまっすぐなパイプ状の直線部材２３と、それぞれの直線部材２３の先端部同士を連結した環状の円環部材２４とから成る。ハウジング３ａの側部から隣に設置されている綱車５の外周側へ向かって突出するように直線部材２３が２本設けられている。直線部材２３はハウジング３ａからブレーキディスク７の綱車５側まで伸びるように設けられている。ブレーキディスク７側の直線部材２３の先端部には、ブレーキディスク７と同心の環状の円環部材２４が設けられており、２本の直線部材２３は円環部材２４により互いに連結されている。綱溝５ａから外れようとするロープ１０は、２本の直線部材２３に当たり、綱溝５ａから外れることが防止される。
【００２６】直線部材２３には貫通する孔２３ａが通されている。円環部材２４のブレーキディスク７と対向する部分には、ブレーキディスク７と同心の環状の開口部２４ａが設けられている。つまり、直線部材２３に通されている孔２３ａは、円環部材２４の開口部２４ａのところで開口されている。孔２３ａはハウジング３ａの中の空間と連なるように直線部材２３のハウジング３ａ側においても開口されている。つまり、孔２３ａはブレーキディスク７の綱車５側の空間とハウジング３ａの中の空間を結ぶように設けられている。環状の開口部２４ａに合わせて、空気をろ過する環状のフィルター２５が設けられている。送風機１１によりハウジング３ａの中の空気がハウジング３ａの外に排出されるのにともない、ブレーキディスク７の綱車５側の空間の空気がフィルター２５でろ過されて開口部２４ａから吸い込まれ、この空気は孔２３ａを通ってハウジング３ａの中へ流されたのちハウジング３ａの外に排出される。
【００２７】このように構成された巻上機２０では、送風機１１の稼働にともないブレーキディスク７の綱車５側の空間の空気をブレーキディスク７と同心に環状に形成されたフィルター２５を介して開口部２４ａから吸い込む。このため、綱車５を通るロープ１０から飛散してブレーキディスク７の方へ向かう油を効率良く収集できる。
【符号の説明】
【００２８】１，２０  巻上機、  ２  ベッド、  ３  電動機、  ３ａ  ハウジング、  ４  軸受台、  ５  綱車、  ５ａ  綱溝、  ６  回転軸、  ７  ブレーキディスク、  ８  制動機、      １０  ロープ、  １１  送風機、  １１ａ  排気口、  １２，２２  ロープ外れ止め、    １２ａ，２４ａ  開口部、  １２ｂ，２３ａ  孔、  １３，２５  フィルター、          ２３  直線部材、  ２４  円環部材  
【図１】
2016092592.tif 000003
【図２】
2016092592.tif 000004
【図３】
2016092592.tif 000005
【図４】
2016092592.tif 000006
【国際調査報告】
2016092592.tif 000007
2016092592.tif 000008